【事件の表示】
　特願２００３−３９７００３「ＦＡＸ自動切替機能付き電話装置及びボタン電話主装置とボタン電話機」拒絶査定不服審判事件〔平成１７年　６月１６日出願公開、特開２００５−１５９８１９〕について、次のとおり審決する。
【結　論】
　本件審判の請求は、成り立たない。
【理　由】
１．手続の経緯・本願発明
　本願は，平成１５年１１月２７日に出願された特許出願であって，平成１９年３月１９日付けで拒絶査定がなされ，これに対し，平成１９年４月２３日に拒絶査定に対する審判請求がなされたものであり，その請求項４に係る発明は，平成１８年７月１１日付けの手続補正により補正された特許請求の範囲の請求項４に記載された事項により特定される次のとおりのものである。（以下，「本願発明」という。）
　「１以上の外線および複数の内線を収容するボタン電話主装置と，前記内線に接続される複数のボタン電話機とからなり，前記内線にＦＡＸ通信可能な装置を接続するボタン電話装置を構成するボタン電話機において，
　前記ボタン電話主装置から送られてきた可聴音でＦＡＸ通信終了通知を通報するＦＡＸ通信終了通報手段と，前記可聴音でＦＡＸ通信終了通知を通報する間，ＦＡＸ通信終了をＬＣＤ表示器に文字により表示する手段とを備えたことを特徴とするボタン電話機。」
　
２．引用発明
　原審の拒絶の理由において提示された特開平８−５１５０４号公報（以下，「引用例」という。）には，図面の記載とともに下記の記載がある。
　
　イ．「【請求項９】　ファクシミリの受信結果を指定された電話機に通知する構内交換機において，
ダイヤルイン番号を一つまたは複数の内線電話に対応させる電話指定手段と，
複数の内線電話を一つのファクシミリ装置に対応させるファクシミリ指定手段とを設け，
ファクシミリ装置から受信したダイヤルイン番号に対応するファクシミリ装置を前記電話指定手段とファクシミリ指定手段とから求め，前記ファクシミリ装置への受信結果を前記電話指定手段から求めた内線電話に通知することを特徴とする構内交換機。
【請求項１０】　ファクシミリの受信状態を定性的に表現するために登録された複数の音声メッセージと個別のファクシミリ受信の特色を表わすために入力された通知用音声とを記憶する記憶手段と，ファクシミリの受信結果に基づいて選択された前記音声メッセージと前記通知用音声とを合成する音声合成手段と，前記音声合成手段によって合成されたメッセージを再生する再生手段とを設け，前記再生手段が再生したメッセージを前記内線電話に通知することを特徴とする請求項９に記載の構内交換機。」（２頁２欄５〜２５行）
　
　ロ．「【００９７】（第７実施例）第７実施例の装置は，ファクシミリ受信結果の通知機能を有する構内交換機であり，ダイヤルインサービスを利用して，収容する内線電話のそれぞれにファクシミリ受信結果を通知することができる。
【００９８】この構内交換機１４１には，図１４に示すように，通信端末として，内線電話機１４２，１４３，１４４とファクシミリ装置１４５とが接続している。
【００９９】この構内交換機は，その内部には，図１５に示すように，公衆回線網や構内交換網との接続を制御するＮＣＵ１と，各制御部を集中制御するＣＰＵ５と，通信状態や内部管理情報または操作指示情報を表示する表示部７と，管理者や応答者が後述する電話番号指定記憶部２３やファクシミリ指定記憶部２４に設定する電話番号を入力したり各種の操作を実行する操作部８と，ＮＣＵ１を通して公衆回線網や構内回線網から送られてくるＤＴＭＦ信号を検知し識別するＤＴＭＦ信号認識部９と，音声メッセージを記憶する受信者用音声メッセージエリア１０ｂと，音声メッセージの蓄積を制御するメッセージ蓄積制御部１１と，音声メッセージの再生を制御する音声再生制御部１２と，音声メッセージの音声合成を制御する音声合成制御部１３と，送信者の行なう音声メッセージの音声録音を制御する音声録音制御部１４と，ファクシミリの送受信の状態を管理し通信結果を記憶する通信結果蓄積制御部１５と，ファクシミリ原稿を蓄積するＦＡＸ原稿蓄積メモリ部２１と，一つの内線番号指定信号（ダイヤルイン番号）と一つの内線電話番号との対応関係を記憶する電話番号指定記憶部２３と，複数の内線電話と一つのファクシミリ装置との対応関係を記憶するファクシミリ指定記憶部２４と，受信したダイヤルイン番号に対応する内線電話にファクシミリの受信結果を通知するメッセージ通知制御部２５とを備えている。
【０１００】なお，ファクシミリの受信結果を知らせる音声メッセージを，後述するように，受信側だけでなく，送信側にも送信する場合には，図１５に示すように，受信者用メッセージエリア１０ｂとは別に発信者用メッセージエリア１０ａを設ける。
【０１０１】さて，この構内交換機は，ファクシミリの受信を終了すると，その受信結果に応じて，図１６に示すように，次のようなメッセージを内線電話に伝える。
【０１０２】「こちらは，〇〇です。ただいまお宅様のファクシミリ装置に，△△に関する書類をＮ枚お送りしました。ご確認下さい。」
「こちらは，〇〇です。ただいまお宅様のファクシミリ装置に，△△に関する書類をＮ枚お送りしましたが，通信の途中で異常が発生しました。再送いたしますので，しばらくお待ち下さい。」
「こちらは，〇〇です。ただいまお宅様のファクシミリ装置に，△△に関する書類をＮ枚お送りしましたが，お話中で，送れませんでした。再送いたしますので，しばらくお待ち下さい。」
このメッセージの中の「〇〇」「△△」「Ｎ」については，送信者がファクシミリ送信に先立って，音声録音制御部１４の指示の下に，電話機を通じて音声入力する。これらの音声は，識別番号と共に受信者用メッセージエリア１０ｂに蓄積され，このエリアに既登録されている音声メッセージが再生される時に，その該当箇所で識別番号に基づいて再生され，前述したメッセージに音声合成される。
【０１０３】この構内交換機は，図１７に示す手順で動作を行なう。
【０１０４】ステップ１７１：公衆回線を通じて外部のファクシミリ装置から，ダイヤルイン番号を指定する着信があると，電話番号指定記憶部２３に記憶されたテーブルからダイヤルイン番号に対応する内線電話を，また，ファクシミリ指定記憶部２４に記憶されているテーブルからその内線電話に対応するファクシミリ装置を求めることによって，ダイヤルイン番号に対応する内部のファクシミリ装置を検索し，回線を接続する。
【０１０５】ステップ１７２：ＦＡＸ原稿を受信し，
ステップ１７３：受信側ファクシミリ装置がそれを正常に受信した場合には，その受信結果を通信結果蓄積制御部１５に記憶し，
ステップ１７４：電話番号指定記憶部２３に記憶されたテーブルから，ダイヤルイン番号に対応する内線電話番号を検索し，
ステップ１７５：その内線電話番号に発呼する。次いで，
ステップ１７６：受信結果に対応する受信結果通知用の音声メッセージを音声メッセージエリア１０ｂから検索し，
ステップ１７７：その音声メッセージを再生して，内線電話に送信する。
【０１０６】ステップ１７８：ステップ１７３において，受信が失敗した場合には，その受信結果を通信結果蓄積制御部１５に記憶するとともに，ファクシミリ操作者に異常を知らせるためのアラーム処理を行ない，
ステップ１７９：ダイヤルイン番号に対応する内線電話番号を発呼して，受信異常の音声メッセージを伝える通信異常処理を行ない終了する。
【０１０７】第１８図には，ダイヤルインサービスを利用して受信結果通知処理を行なう構内交換機の通信制御のシーケンスを示している。
【０１０８】まず，ダイヤルインサービスにより，公衆回線Ｌ１と構内回線Ｌ２とが極性反転した後，ファクシミリ装置の出力した非音声端末を表わす呼び出し信号を網から受信する。本交換機は，これに対して一次応答信号を送出する。次に１桁から４桁のダイヤルイン番号を網から受信すると，ダイヤルイン番号に対応する内線電話と関連するファクシミリ装置を呼び出す。そのファクシミリ装置からＡＴＡ（アテンション）を受け取ると，２次応答信号を網に送出し，ＦＡＸ受信を実行する。ＦＡＸ受信が終了すると，ダイヤルイン番号に対応した内線電話に受信結果を通知する音声メッセージを送出する。
【０１０９】このように，この構内交換機では，ファクシミリの発信者が，受信者のダイヤルイン番号を指定してＦＡＸ原稿を送信すると，受信結果通知が受信者の内線電話に通知される。」（８頁１３欄４０行〜９頁１５欄４６行）
　
　したがって，上記イ．ロ．の摘記事項，及びこの分野の技術常識を考慮すれば，引用例には，以下の発明（以下，「引用発明」という。）が開示されている。
　
　（引用発明）
　「外線および複数の内線を収容する構内交換機１４１と，前記内線に接続される複数の内線電話機１４２，１４３，１４４とからなり，前記内線にファクシミリ装置１４５を接続する構内交換のシステムを構成する内線電話機１４２，１４３，１４４において，
　前記構内交換機１４１から送られてきた可聴音でファクシミリ受信結果通知を通報する通報手段とを備えた内線電話機１４２，１４３，１４４。」
　
３．対比　　
　本願発明と引用発明とを対比すると，
　引用発明の「構内交換機１４１」と本願発明の「ボタン電話主装置」は交換機であり，引用発明の「内線電話１４２，１４３，１４４」と本願発明の「複数のボタン電話機」は複数の電話機であり，引用発明の「構内交換機のシステム」と本願発明の「ボタン電話装置」は電話システムである。
　また，引用発明の「ファクシミリ装置１４５」「ファクシミリ受信結果」「通報手段」は，本願発明の「ＦＡＸ通信可能な装置」「ＦＡＸ通信終了」「ＦＡＸ通信終了通報手段」にそれぞれ相当する。
　したがって，本願発明と引用発明とは以下の点で一致ないし相違する。
　　　　
　［一致点］
　「１以上の外線および複数の内線を収容する交換機と，前記内線に接続される複数の電話機とからなり，前記内線にＦＡＸ通信可能な装置を接続する電話システムを構成する電話機において，
　前記交換機から送られてきた可聴音でＦＡＸ通信終了通知を通報するＦＡＸ通信終了通報手段とを備えた電話機。」
　
　［相違点］
　ａ）交換機として，本願発明は「ボタン電話主装置」を用いているのに対し，引用発明は「構内交換機１４１」を用いている点。
　ｂ）電話機として，本願発明は「ボタン電話機」を用いているのに対し，引用発明は「内線電話機１４２，１４３，１４４」を用いている点。
　ｃ）電話システムとして，本願発明は「ボタン電話装置」であるのに対し，引用発明は「構内交換のシステム」である点。
　ｄ）本願発明は「可聴音でＦＡＸ通信終了通知を通報する間，ＦＡＸ通信終了をＬＣＤ表示器に文字により表示する手段」を備えているのに対し，引用発明は備えてない点。
　
４．判断
　そこで，相違点について検討する。
　相違点ａ）ｂ）ｃ）について　　
　交換機としてボタン電話主装置を用い，電話機としてボタン電話機を用いてなるシステムは従来から存在しており，そのシステムをボタン電話装置と称していることは，例えば，特開平３−２３７９７号公報，特開２０００−２４４９５５号公報，特開２０００−９２２３３号公報に示されているように，技術常識ということができるから，交換機として，「ボタン電話主装置」を用い，電話機として，「ボタン電話機」を用い，これらの電話システムを，「ボタン電話装置」と称することは，当業者が容易に推考し得ることである。したがって，相違点ａ）ｂ）ｃ）の構成を採用することに格別の困難性はない。
　
　相違点ｄ）について
　例えば，上記の特開平３−２３７９７号公報，特開２０００−２４４９５５号公報に記載されているように，ボタン電話装置において，ＦＡＸ通信状態をＬＣＤ等の表示器に文字により表示することは周知技術であり，また，電話機に各種の報知態様を行う手段を備え，その手段を単独で又は複数で動作させて電話機に通信状態を報知することも，例えば，上記した特開２０００−９２２３３号公報，原審で引用した特開平８−１９１４６７号公報等に示されるように，周知技術乃至技術常識といえるものであるから，引用発明に「可聴音でＦＡＸ通信終了通知を通報する間，ＦＡＸ通信終了をＬＣＤ表示器に文字により表示する手段」を備えさせる程度のことは，当業者であれば，当然に想起しうる程度の単なる付加的技術事項でしかない。
　また，本願発明の構成によってもたらされる効果も，引用発明，周知技術，技術常識から当業者が予測できる範囲内のものである。
　
５．むすび
　したがって，本願発明は，引用発明に基づいて，当業者が容易に発明をすることができたものであるから，特許法第２９条第２項の規定により特許を受けることができない。
　よって，結論のとおり審決する。